(57)【特許請求の範囲】
【請求項１】
自然エネルギー発電装置、負荷装置及び蓄電池を備える施設において電力の管理を行う電力管理装置であって、
前記蓄電池の前記施設外での使用を開始する時刻である施設外使用開始時刻、当該使用を終了する時刻である施設外使用終了時刻及び当該使用に要する施設外使用電力量を予測する施設外使用予測部と、
前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測する余剰・不足電力予測部と、
前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測する変化量予測部と、
前記変化量予測部が予測した前記蓄電池の容量の時間変化に基づいて、前記蓄電池の容量が最大となる時刻である最大ピーク時刻を特定するピーク特定部と、
前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出する差分電力量算出部と、
前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する必要充電量算出部と、
前記開始時刻までに、前記外部供給電力を用いて前記蓄電池に前記必要充電量の充電を行う充放電制御部と
を備え、
前記必要充電量算出部は、前記差分電力量と前記施設外使用電力量とを加算した電力量から前記最大ピーク時刻における前記蓄電池の容量を減じた電力量以上の電力量を、前記必要充電量とする
ことを特徴とする電力管理装置。
【請求項２】
前記充放電制御部は、前記自然エネルギー発電装置が発電する発電電力が前記負荷装置による消費電力より小さい場合において、前記蓄電池の容量が前記施設外使用電力量に前記蓄電池の容量の許容下限値を加算した値に達したときに、前記負荷装置に供給する電力を、前記蓄電池の放電電力から前記外部供給電力に切り替える
ことを特徴とする請求項１に記載の電力管理装置。
【請求項３】
前記必要充電量算出部は、前記蓄電池の容量の許容上限値と許容下限値との差分である最大使用可能電力量と前記差分電力量との差が、前記施設外使用電力量未満である場合に、前記蓄電池の容量の許容上限値から前記最大ピーク時刻における前記蓄電池の容量を減じた電力量を、前記必要充電量とする
ことを特徴とする請求項１または請求項２に記載の電力管理装置。
【請求項４】
前記必要充電量算出部は、前記蓄電池の容量の許容上限値と許容下限値との差分である最大使用可能電力量から、前記蓄電池を不定期に前記施設外で使用する際に当該使用に要する不定期利用電力量及び前記差分電力量を減じた電力量が、前記施設外使用電力量以上である場合に、前記差分電力量と前記施設外使用電力量と前記不定期利用電力量とを加算した電力量から前記最大ピーク時刻における前記蓄電池の容量を減じた電力量以上の電力量を、前記必要充電量とする
ことを特徴とする請求項１から請求項３の何れか１項に記載の電力管理装置。
【請求項５】
前記蓄電池が前記施設外で使用されている間、前記自然エネルギー発電装置が発電する発電電力を用いてヒートポンプを運転するヒートポンプ制御部を備えることを特徴とする請求項１から請求項４の何れか１項に記載の電力管理装置。
【請求項６】
前記蓄電池は走行体に搭載され、当該走行体の走行により、前記蓄電池が前記施設外で使用される
ことを特徴とする請求項１から請求項５の何れか１項に記載の電力管理装置。
【請求項７】
自然エネルギー発電装置、負荷装置及び蓄電池を備える施設において電力の管理を行う電力管理装置を用いた電力管理方法であって、
施設外使用予測部は、前記蓄電池の前記施設外での使用を開始する時刻である施設外使用開始時刻、当該使用を終了する時刻である施設外使用終了時刻及び当該使用に要する施設外使用電力量を予測し、
余剰・不足電力予測部は、前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測し、
変化量予測部は、前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測し、
ピーク特定部は、前記変化量予測部が予測した前記蓄電池の容量の時間変化に基づいて、前記蓄電池の容量が最大となる時刻である最大ピーク時刻を特定し、
差分電力量算出部は、前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出し、
必要充電量算出部は、前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する際、前記差分電力量と前記施設外使用電力量とを加算した電力量から前記最大ピーク時刻における前記蓄電池の容量を減じた電力量以上の電力量を、前記必要充電量とし、
充放電制御部は、前記開始時刻までに、前記外部供給電力を用いて前記蓄電池に前記必要充電量の充電を行う
ことを特徴とする電力管理方法。
【請求項８】
自然エネルギー発電装置、負荷装置及び蓄電池を備える施設において電力の管理を行う電力管理装置を、
前記蓄電池の前記施設外での使用を開始する時刻である施設外使用開始時刻、当該使用を終了する時刻である施設外使用終了時刻及び当該使用に要する施設外使用電力量を予測する施設外使用予測部、
前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測する余剰・不足電力予測部、
前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測する変化量予測部、
前記変化量予測部が予測した前記蓄電池の容量の時間変化に基づいて、前記蓄電池の容量が最大となる時刻である最大ピーク時刻を特定するピーク特定部、
前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出する差分電力量算出部、
前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する必要充電量算出部、
前記開始時刻までに、前記外部供給電力を用いて前記蓄電池に前記必要充電量の充電を行う充放電制御部
として機能させ、
前記必要充電量算出部は、前記差分電力量と前記施設外使用電力量とを加算した電力量から前記最大ピーク時刻における前記蓄電池の容量を減じた電力量以上の電力量を、前記必要充電量とする
ことを特徴とするプログラム。
【発明の詳細な説明】
【技術分野】
【０００１】
本発明は、電力管理装置、電力管理方法及びプログラムに関する。
【背景技術】
【０００２】
近年、太陽光発電などの自然エネルギーを使用した発電電力によって住宅やオフィス、工場などの施設における消費電力を賄い、また、余剰分について蓄電池に電力を蓄積する技術が多く使用されている。このような自然エネルギーを使用した発電電力を用いる場合、日中などの発電電力が消費電力を上回る状況では、蓄電池への電力の蓄積や、電力会社に対して売電を行うことで、発電電力の余剰分を有効に活用することができる。他方、起床後や帰宅後就寝前などの消費電力が発電電力を上回る状況では、蓄電池から放電された電力による消費や、電力会社の電力線から供給された電力による消費が行うことで、発電電力の不足分を補うことができる。そして、このような自然エネルギー発電装置と蓄電池を有する発電システムにおいて、省エネルギー性と経済性の両方を向上させることのできる技術が特許文献１に開示されている。
【０００３】
また、特許文献２には、電気自動車などの走行体に搭載した蓄電池を住宅内への電力供給源として使用することが開示されている。これにより、発電電力の吸収のための蓄電池を別途用意することなく、特許文献１に記載の技術の効果を得ることができる。
【先行技術文献】
【特許文献】
【０００４】
【特許文献１】特開２００７−２９５６８０号公報
【特許文献２】特開２０１１−１７２３３４号公報
【発明の概要】
【発明が解決しようとする課題】
【０００５】
しかしながら、特許文献２に記載のように走行体に搭載した蓄電池を、自然エネルギーによる余剰発電電力のバッファとして用いる場合、走行体が走行に用いられるときに、当該走行に充分な電力量が蓄電池に残らないおそれがある。
本発明の目的は、自然エネルギーによる発電装置が設けられた施設外での使用が可能な蓄電池に、当該施設外で用いる用途に充分な電力量を確保する電力管理装置、電力管理方法及びプログラムを提供することにある。
【課題を解決するための手段】
【０００６】
本発明は上記の課題を解決するためになされたものであり、自然エネルギー発電装置、負荷装置及び蓄電池を備える施設において電力の管理を行う電力管理装置であって、前記蓄電池の前記施設外での使用を開始する時刻である施設外使用開始時刻、当該使用を終了する時刻である施設外使用終了時刻及び当該使用に要する施設外使用電力量を予測する施設外使用予測部と、前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測する余剰・不足電力予測部と、前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測する変化量予測部と、前記変化量予測部が予測した前記蓄電池の容量の時間変化に基づいて、前記蓄電池の容量が最大となる時刻である最大ピーク時刻を特定するピーク特定部と、前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出する差分電力量算出部と、前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する必要充電量算出部と、前記開始時刻までに、前記外部供給電力を用いて前記蓄電池に前記必要充電量の充電を行う充放電制御部とを備え、前記必要充電量算出部は、前記差分電力量と前記施設外使用電力量とを加算した電力量から前記最大ピーク時刻における前記蓄電池の容量を減じた電力量以上の電力量を、前記必要充電量とすることを特徴とする。
【０００７】
また、本発明においては、前記充放電制御部は、前記自然エネルギー発電装置が発電する発電電力が前記負荷装置による消費電力より小さい場合において、前記蓄電池の容量が前記施設外使用電力量に前記蓄電池の容量の許容下限値を加算した値に達したときに、前記負荷装置に供給する電力を、前記蓄電池の放電電力から前記外部供給電力に切り替えることが好ましい。
【０００８】
また、本発明においては、前記必要充電量算出部は、前記蓄電池の容量の許容上限値と許容下限値との差分である最大使用可能電力量と前記差分電力量との差が、前記施設外使用電力量未満である場合に、前記蓄電池の容量の許容上限値から前記最大ピーク時刻における前記蓄電池の容量を減じた電力量を、前記必要充電量とすることが好ましい。
【０００９】
また、本発明においては、前記必要充電量算出部は、前記蓄電池の容量の許容上限値と許容下限値との差分である最大使用可能電力量から、前記蓄電池を不定期に前記施設外で使用する際に当該使用に要する不定期利用電力量及び前記差分電力量を減じた電力量が、前記施設外使用電力量以上である場合に、前記差分電力量と前記施設外使用電力量と前記不定期利用電力量とを加算した電力量から前記最大ピーク時刻における前記蓄電池の容量を減じた電力量以上の電力量を、前記必要充電量とすることが好ましい。
【００１０】
また、本発明においては、前記蓄電池が前記施設外で使用されている間、前記自然エネルギー発電装置が発電する発電電力を用いてヒートポンプを運転するヒートポンプ制御部を備えることが好ましい。
【００１１】
また、本発明においては、前記蓄電池は走行体に搭載され、当該走行体の走行により、前記蓄電池が前記施設外で使用されることが好ましい。
【００１２】
また、本発明は、自然エネルギー発電装置、負荷装置及び蓄電池を備える施設において電力の管理を行う電力管理装置を用いた電力管理方法であって、施設外使用予測部は、前記蓄電池の前記施設外での使用を開始する時刻である施設外使用開始時刻、当該使用を終了する時刻である施設外使用終了時刻及び当該使用に要する施設外使用電力量を予測し、余剰・不足電力予測部は、前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測し、変化量予測部は、前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測し、ピーク特定部は、前記変化量予測部が予測した前記蓄電池の容量の時間変化に基づいて、前記蓄電池の容量が最大となる時刻である最大ピーク時刻を特定し、差分電力量算出部は、前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出し、必要充電量算出部は、前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する際、前記差分電力量と前記施設外使用電力量とを加算した電力量から前記最大ピーク時刻における前記蓄電池の容量を減じた電力量以上の電力量を、前記必要充電量とし、充放電制御部は、前記開始時刻までに、前記外部供給電力を用いて前記蓄電池に前記必要充電量の充電を行うことを特徴とする。
【００１３】
また、本発明は、自然エネルギー発電装置、負荷装置及び蓄電池を備える施設において電力の管理を行う電力管理装置を、前記蓄電池の前記施設外での使用を開始する時刻である施設外使用開始時刻、当該使用を終了する時刻である施設外使用終了時刻及び当該使用に要する施設外使用電力量を予測する施設外使用予測部、前記負荷装置による消費電力の時間変化と、前記自然エネルギー発電装置が発電する発電電力の時間変化とに基づいて、前記発電電力によって前記負荷装置を稼働させる場合の余剰・不足電力の時間変化を予測する余剰・不足電力予測部、前記施設外使用予測部が予測した施設外使用開始時刻、施設外使用終了時刻及び施設外使用電力量、並びに余剰・不足電力予測部が予測した余剰・不足電力の時間変化に基づいて、外部供給電力による充電を行わない場合の前記蓄電池の容量の時間変化を予測する変化量予測部、前記変化量予測部が予測した前記蓄電池の容量の時間変化に基づいて、前記蓄電池の容量が最大となる時刻である最大ピーク時刻を特定するピーク特定部、前記変化量予測部が予測した前記蓄電池の容量の時間変化に基づいて、前記最大ピーク時刻における前記蓄電池の容量と前記施設外使用開始時刻における前記蓄電池の容量との差分である差分電力量を算出する差分電力量算出部、前記最大ピーク時刻における前記蓄電池の容量と前記蓄電池の容量の許容上限値とに基づいて、前記蓄電池が供給する電力によって前記負荷装置を稼働させる時間帯の開始時刻までに前記蓄電池に充電すべき電力量である必要充電量を算出する必要充電量算出部、前記開始時刻までに、前記外部供給電力を用いて前記蓄電池に前記必要充電量の充電を行う充放電制御部として機能させ、前記必要充電量算出部は、前記差分電力量と前記施設外使用電力量とを加算した電力量から前記最大ピーク時刻における前記蓄電池の容量を減じた電力量以上の電力量を、前記必要充電量とすることを特徴とするプログラムである。
【発明の効果】
【００１４】
本発明によれば、電力管理装置は、蓄電池の初期時刻における必要充電量を、蓄電池の容量の許容上限値から最大ピーク時刻における前記蓄電池の容量を減じた電力量以下とする。これにより、最大ピーク時刻において蓄電池の容量が許容上限値を超えることを防ぐことができる。また、電力管理装置は、蓄電池の最大使用可能電力量と差分電力量との差が施設外使用電力量以上である場合に、蓄電池の初期時刻における必要充電量を、差分電力量と施設外使用電力量とを加算した電力量から最大ピーク時刻における蓄電池の容量を減じた電力量以上とする。これにより、施設外使用開始時刻において蓄電池の容量が施設外使用電力量未満になることを防ぐことができる。
【図面の簡単な説明】
【００１５】
【図１】本発明の第１の実施形態による電力管理装置を備える施設の構成を示す図である。
【図２】本発明の第１の実施形態による電力管理装置の構成を示す概略ブロック図である。
【図３】本発明の第１の実施形態による電力管理装置の安価期間の動作を示すフローチャートである。
【図４】電力管理装置による充電動作の例を示す図である。
【図５】本発明の第１の実施形態による電力管理装置の高価期間の動作を示すフローチャートである。
【図６】電力管理装置による放電動作の例を示す図である。
【図７】本発明の第３の実施形態による電力管理装置を備える施設の構成を示す図である。
【発明を実施するための形態】
【００１６】
以下、図面を参照しながら本発明の実施形態について詳しく説明する。
《第１の実施形態》
図１は、本発明の第１の実施形態による電力管理装置１００を備える施設の構成を示す図である。
第１の実施形態による施設には、電力管理装置１００、蓄電池２０１を搭載した車両２００（走行体）、自然エネルギー発電装置３００、負荷装置４００が設けられる。
電力管理装置１００は、施設内において発電され、または消費される電力の管理を行う。また、電力管理装置１００は、ネットワーク５００に接続されており、当該ネットワーク５００を介して天気予報などの情報を受信する。
車両２００は、搭載する蓄電池２０１から供給される電力により走行する。また、車両２００が施設内に停車しているときは、電力管理装置１００によって蓄電池２０１の充放電が制御される。
自然エネルギー発電装置３００は、太陽光や風力などの自然エネルギーによる発電を行う。
負荷装置４００は、施設に設けられた電気機器全般のことであり、蓄電池２０１が供給する電力または系統電力などの外部供給電力によって稼働する。
【００１７】
なお、一般的に、外部供給電力の使用料金は、当該電力を使用する時刻によって異なる。例えば、午後１１時から午前７時の時間帯は、午前７時から午後１１時までの時間帯と比較して外部供給電力の使用料金が安くなる。この場合、電力管理装置１００は、午後１１時から午前７時の時間帯（安価期間）の間、外部供給電力によって負荷装置４００を稼働させ、午前７時から午後１１時の時間帯（高価期間）の間、蓄電池２０１が供給する電力によって負荷装置４００を稼働させる。したがって、電力管理装置１００は、高価期間の間、蓄電池２０１が供給する電力によって負荷装置４００を稼働させることができるよう、蓄電池２０１の容量の制御を行う。
【００１８】
次に、電力管理装置１００の構成について説明する。
図２は、本発明の第１の実施形態による電力管理装置１００の構成を示す概略ブロック図である。
電力管理装置１００は、施設外使用予定受付部１０１、施設外使用予測部１０２、発電電力予測部１０３、消費電力予測部１０４、変化量予測部１０６、ピーク特定部１０７、差分電力量算出部１０８、必要充電量算出部１０９、充放電制御部１１０、容量監視部１１１を備える。
【００１９】
施設外使用予定受付部１０１は、使用者から、蓄電池２０１の施設外での使用予定、すなわち車両２００を走行させる予定の入力を受け付ける。
施設外使用予測部１０２は、施設外使用予定受付部１０１が受け付けた情報、及びネットワーク５００を介して取得した天気予報や渋滞情報などに基づいて、蓄電池２０１が施設外で使用される時刻（施設外使用開始時刻）、当該使用を終了する時刻（施設外使用終了時刻）及び当該使用に必要な電力量（施設外使用電力量）を予測する。
【００２０】
発電電力予測部１０３は、ネットワーク５００を介して取得した天気予報などに基づいて、高価期間において自然エネルギー発電装置３００が発電する発電電力の時間変化を予測する。
消費電力予測部１０４は、ネットワーク５００を介して取得した天気予報や、過去の負荷装置４００の稼働履歴などに基づいて、高価期間における負荷装置４００による消費電力の時間変化を予測する。
変化量予測部１０６は、発電電力予測部１０３が予測した発電電力の時間変化、及び消費電力予測部１０４が予測した消費電力の時間変化に基づいて、高価期間において外部供給電力による充電を行わない場合の蓄電池２０１の容量の時間変化を予測する。
【００２１】
ピーク特定部１０７は、変化量予測部１０６が予測した蓄電池２０１の容量の時間変化に基づいて、高価期間において蓄電池２０１の容量が最大となる時刻（最大ピーク時刻）及びそのときの蓄電池２０１の容量（最大ピーク容量）を特定する。また、ピーク特定部１０７は、変化量予測部１０６が予測した蓄電池２０１の容量の時間変化に基づいて、高価期間において蓄電池２０１の容量が最小となるときの容量（最小ピーク容量）を特定する。
差分電力量算出部１０８は、変化量予測部１０６が予測した蓄電池２０１の容量の時間変化に基づいて、ピーク特定部１０７が特定した最大ピーク時刻における蓄電池２０１の容量と、施設外使用予測部１０２が予測した施設外使用開始時刻における蓄電池２０１の容量との差分の電力量（差分電力量）を算出する。
【００２２】
必要充電量算出部１０９は、ピーク特定部１０７が特定した最大ピーク容量と蓄電池２０１の容量の許容上限値とに基づいて、高価期間の開始時刻までに蓄電池２０１に充電すべき電力量である必要充電量を算出する。
充放電制御部１１０は、高価期間の開始時刻までに、外部供給電力を用いて蓄電池２０１に必要充電量算出部１０９が算出した必要充電量の充電を行う。また、充放電制御部１１０は、容量監視部１１１が監視する容量に応じて、負荷装置４００の充放電を行う。
容量監視部１１１は、蓄電池２０１の容量を監視する。
【００２３】
次に、電力管理装置１００の動作について説明する。
電力管理装置１００は、蓄電池２０１の充電制御を行う前に、予め使用者から当該充電制御に用いる情報を収集する。具体的には、電力管理装置１００の施設外使用予定受付部１０１が、使用者から車両２００の使用目的、使用予定時刻、走行距離、使用時間からなる使用予定の入力を受け付け、当該情報を内部のデータベースに記録する。ここで、車両２００の使用目的としては、例えば定期利用（通勤など）、高頻度不定期利用（買い物、送迎など）、単発利用（旅行など）が挙げられる。なお、電力管理装置１００は、これらの情報に基づいて施設外使用開始時刻や施設外使用電力量を算出するため、車両２００を使用する日の高価期間の開始時刻までに、これらの情報の入力がなされている必要がある。
【００２４】
なお、使用予定の入力は、使用予定がある日の前日までに使用者によって使用予定毎になされる必要があるが、本実施形態による電力管理装置１００の施設外使用受付部は、使用目的に応じて使用予定を推測することで、一部の情報の入力を省略する。
【００２５】
具体的には、車両２００の使用目的が通勤などの定期利用である場合、施設外使用予定受付部１０１は、初回に使用者から使用予定時刻、運転距離、及び使用時間、並びに使用間隔の入力を受け付けて、内部のデータベースにこの情報を記録する。そして、施設外使用予定受付部１０１は、当該使用予定と同じ使用予定を、使用間隔毎に用いる。
【００２６】
また、車両２００の使用目的が買い物などの高頻度不定期利用である場合、施設外使用予定受付部１０１は、初回に使用者から運転距離及び使用時間の入力を受け付けて、内部のデータベースにこの情報を記録する。そして、施設外使用予定受付部１０１は、使用予定時刻のみを使用者から受け付け、残りのパラメータは、当該使用予定と同じものを用いる。これは、車両２００を買物などに利用する場合、行き先及び買物に要する時間がほぼ変わらないことが推測されるためである。
【００２７】
なお、車両２００の使用目的が単発利用である場合、使用予定を予測することは困難であるため、施設外使用予定受付部１０１は、当該使用予定の入力を毎回受け付ける。
【００２８】
図３は、本発明の第１の実施形態による電力管理装置１００の安価期間の動作を示すフローチャートである。
次に、電力管理装置１００が蓄電池２０１の充電制御を行う際の動作について説明する。
電力管理装置１００は、高価期間の開始時刻以前の時刻（例えば、安価期間の開始時刻）に、蓄電池２０１の充電を行うための計算を行う。
【００２９】
まず、施設外使用予測部１０２は、施設外使用予定受付部１０１の内部データベースを参照し、次回の高価期間の間における、車両２００の使用予定時刻（施設外使用開始時刻）及び当該走行に要する電力量（施設外使用電力量）を算出する（ステップＳ１）。なお、施設外使用予測部１０２は、車両２００の走行に要する電力量として、入力された走行距離の定数倍の値を用いて算出する。なお、車両２００の走行に要する電力量の算出方法は、これに限られない。例えば、走行距離に使用目的別の係数を乗じることで算出しても良いし、走行距離並びに気温及び時間を独立変数とする関数に基づいて算出しても良いし、走行距離に加え、交通情報等の渋滞予測情報を用いて算出しても良い。
【００３０】
次に、発電電力予測部１０３は、次回の高価期間の間に自然エネルギー発電装置３００が発電する電力の時間変化を予測する（ステップＳ２）。例えば発電電力予測部１０３は、ネットワーク５００を介して、翌日の気温、天気、日照強度などを示す気象情報を取得し、過去の発電電力と気象情報とを関連付けて記憶するデータベース（図示せず）から、時間帯毎に類似する気象情報に関連付けられた発電電力を複数読み出し、それらの平均値を算出することで、発電電力量の時間変化を予測する。
【００３１】
また、消費電力予測部１０４は、次回の高価期間の間に負荷装置４００が消費する電力の時間変化を予測する（ステップＳ３）。例えば消費電力予測部１０４は、過去の負荷装置４００の稼働実績を曜日ごとに記録したデータベースから、翌日の曜日に関連付けられた稼働実績を複数読み出し、当該稼働実績の平均値から消費電力を算出することで、消費電力の時間変化を予測する。
【００３２】
次に、変化量予測部１０６は、発電電力予測部１０３が予測した発電電力の時間変化と消費電力予測部１０４が予測した消費電力の時間変化とに基づいて、次回の高価期間の間における蓄電池２０１の容量の時間変化を算出する（ステップＳ４）。なお、ここで予測される蓄電池２０１の容量の時間変化は、外部供給電力による充電を行わない場合の蓄電池２０１の容量の時間変化となる。変化量予測部１０６における蓄電池２０１の容量の予測は、例えば、発電電力と消費電力の予測が一時間ごとの電力量として与えられる場合、以下の手法で行うことができる。つまり、変化量予測部１０６は、ある時刻（例えば８時）における発電電力量と消費電力量の差の電力で蓄電池２０１に一時間充電した場合の充電率を、次の時刻（例えば９時）における蓄電池２０１の充電率として算出し、これを高価期間の全ての時刻について行うことで、高価期間の間における蓄電池２０１の容量の時間変化を算出することができる。なお、本算出方法はあくまで一例であり、変化量予測部１０６は、発電電力の時間変化と消費電力の時間変化とに基づいて、次回の高価期間の間における蓄電池２０１の容量の時間変化をどのように算出しても良い。
【００３３】
次に、ピーク特定部１０７は、変化量予測部１０６が予測した次回の高価期間の間における蓄電池２０１の容量の時間変化に基づいて、高価期間の開始時刻から施設外使用予測部１０２が予測した設備外使用時刻までの間において蓄電池２０１の容量が最大となる時刻（最大ピーク時刻）及びその容量（最大ピーク容量）を特定する。さらに、ピーク特定部１０７は、変化量予測部１０６が予測した次回の高価期間の間における蓄電池２０１の容量の時間変化に基づいて、施設外使用予測部１０２が予測した設備外使用時刻に使用時間を加算した時刻から高価期間の終了時刻までの間における蓄電池２０１の容量の最小値（最小ピーク容量）を特定する（ステップＳ５）。
【００３４】
次に、差分電力量算出部１０８は、ピーク特定部１０７が特定した最大ピーク時刻における蓄電池２０１の容量と設備外使用時刻における蓄電池２０１の容量の差を算出することで、差分電力量を算出する（ステップＳ６）。
【００３５】
次に、必要充電量算出部１０９は、最大ピーク容量と最小ピーク容量の差が許容上限値と許容下限値との差（蓄電池２０１の使用範囲）よりも小さいか否かを判定する（ステップＳ７）。最大ピーク容量と最小ピーク容量の差が蓄電池２０１の使用範囲以上である場合（ステップＳ７：ＮＯ）、必要充電量算出部１０９は、蓄電池２０１の容量の許容上限値から最大ピーク容量を減じた容量に相当する電力量を、必要充電量とする（ステップＳ８）。これにより、高価期間の開始時刻以前に当該必要充電量を蓄電池２０１に充電することで、最大ピーク時刻における蓄電池２０１の容量は、蓄電池２０１の容量の許容上限値となる。
【００３６】
最大ピーク容量と最小ピーク容量の差が蓄電池２０１の使用範囲より小さい場合（ステップＳ７：ＹＥＳ）、必要充電量算出部１０９は、以下の３つの条件を満たす電力量を、必要充電量とする（ステップＳ９）。３つの条件とは、（１）蓄電池２０１の容量の許容上限値から最大ピーク容量を減じた電力量以下であること、（２）差分電力量と施設外使用電力量とを加算した電力量から最大ピーク容量を減じた電力量以上であること、及び（３）許容下限値から最小ピーク容量を減じた電力量以上であること、である。３つの条件を満たす必要充電量の算出方法としては、蓄電池２０１の容量の許容上限値から最大ピーク容量を減じた容量に相当する電力量を必要充電量とする方法や、蓄電池２０１の容量の許容上限値から最大ピーク容量を減じた容量に相当する電力量と蓄電池２０１の容量の許容下限値から最小ピーク容量を減じた容量に相当する電力量の平均値を必要充電量とする方法などがある。
【００３７】
（１）の条件により、最大ピーク時刻における蓄電池２０１の容量は、蓄電池２０１の容量の許容上限値を超えることを防ぐことができる。また、（２）の条件により、施設外使用開始時刻において、蓄電池２０１の容量が施設外使用電力量を下回らなくなる。また、（３）の条件により、蓄電池２０１の容量が、蓄電池２０１の容量の許容下限値未満となることを防ぐことができる。
【００３８】
そして、ステップＳ８またはステップＳ９で必要充電量算出部１０９が必要充電量を算出すると、充放電制御部１１０は、安価期間の間に蓄電池２０１に対して必要充電量の充電を行う（ステップＳ１０）。
【００３９】
ここで、具体的な例を用いて電力管理装置１００による充電動作の例について説明する。
図４は、電力管理装置１００による充電動作の例を示す図である。
図４に示す例では、蓄電池２０１の容量の許容上限値から最大ピーク容量を減じた電力量が、充電電力量として用いることができる最大の電力量となる。また、蓄電池２０１の容量の許容下限値から最小ピーク容量を減じた電力量が、充電電力量として用いることができる最小の電力量となる。このとき、充放電制御部１１０が最小の充電電力量から最大の充電電力量までの電力量で蓄電池２０１の充電をすることで、図４に示すとおり、最大ピーク容量は許容上限値を超えず、かつ最小ピーク容量は許容下限値未満とならない。
【００４０】
次に、電力管理装置１００の高価期間の動作について説明する。
図５は、本発明の第１の実施形態による電力管理装置１００の高価期間の動作を示すフローチャートである。
高価期間において、電力管理装置１００の充放電制御部１１０は、自然エネルギー発電装置３００の現在の発電電力と、負荷装置４００の現在の消費電力とを比較する（ステップＳ１１）。充放電制御部１１０は、発電電力が消費電力より大きいと判定した場合（ステップＳ１１：ＹＥＳ）、容量監視部１１１から蓄電池２０１の容量を取得し、蓄電池２０１の容量が蓄電池２０１の許容上限値に達しているか否かを判定する（ステップＳ１２）。蓄電池２０１の容量が許容上限値に達している場合（ステップＳ１２：ＹＥＳ）、蓄電池２０１の動作モードを、充放電を行わないスタンバイモードに切り替える（ステップＳ１３）。他方、蓄電池２０１の容量が許容上限値に達していない場合（ステップＳ１２：ＮＯ）、蓄電池２０１の動作モードを、充放電を行う通常モードに切り替える（ステップＳ１４）。
【００４１】
充放電制御部１１０は、ステップＳ１１において、発電電力が消費電力以下であると判定した場合（ステップＳ１１：ＮＯ）、施設外使用予測部１０２から施設外使用開始時刻を取得し、高価期間内であって現在時刻以降に車両２００の使用予定があるか否かを判定する（ステップＳ１５）。充放電制御部１１０は、現在時刻以降に車両２００の使用予定があると判定した場合（ステップＳ１５：ＹＥＳ）、施設外使用予測部１０２から施設外使用開始電力量を取得し、蓄電池２０１の容量が、蓄電池２０１の容量の許容下限値に施設外使用電力量を加算した値以下であるか否かを判定する（ステップＳ１６）。
【００４２】
充放電制御部１１０は、蓄電池２０１の容量が、許容下限値に施設外使用電力量を加算した値以下であると判定した場合（ステップＳ１６：ＹＥＳ）、蓄電池２０１の動作モードを、充放電を行わないスタンバイモードに切り替える（ステップＳ１３）。他方、充放電制御部１１０は、蓄電池２０１の容量が、許容下限値に施設外使用電力量を加算した値より大きいと判定した場合（ステップＳ１６：ＮＯ）、蓄電池２０１の動作モードを、充放電を行う通常モードに切り替える（ステップＳ１４）。これにより、電力管理装置１００は、車両２００を使用するときに走行に要する電力量を蓄電池２０１に残すよう制御することができる。
【００４３】
ステップＳ１５において充放電制御部１１０は、現在時刻以降に車両２００の使用予定があると判定した場合（ステップＳ１５：ＹＥＳ）、蓄電池２０１の容量が、蓄電池２０１の容量の許容下限値以下であるか否かを判定する（ステップＳ１７）。
【００４４】
充放電制御部１１０は、蓄電池２０１の容量が、許容下限値以下であると判定した場合（ステップＳ１７：ＹＥＳ）、蓄電池２０１の動作モードを、充放電を行う通常モードに切り替える（ステップＳ１４）。他方、充放電制御部１１０は、蓄電池２０１の容量が、許容下限値より大きいと判定した場合（ステップＳ１７：ＹＥＳ）、蓄電池２０１の動作モードを、充放電を行わないスタンバイモードに切り替える（ステップＳ１３）。
【００４５】
充放電制御部１１０は、ステップＳ１３またはステップＳ１４により、蓄電池２０１の動作モードを切り替えると、高価期間が終了しているか否かを判定する（ステップＳ１８）。充放電制御部１１０は、高価期間が終了していないと判定した場合（ステップＳ１８：ＮＯ）、ステップＳ１１に戻り、蓄電池２０１の動作モードの判定を繰り返し実行する。他方、充放電制御部１１０は、高価期間が終了したと判定した場合（ステップＳ１８：ＹＥＳ）、処理を終了する。
【００４６】
ここで、具体的な例を用いて電力管理装置１００による充電動作の例について説明する。
図６は、電力管理装置１００による放電動作の例を示す図である。
図６に示す例では、発電電力が消費電力を上回っている間、すなわち最大ピーク時刻までの期間、及びその後に発電電力が消費電力を下回ってから蓄電池２０１の容量が施設外使用電力量に達するまで（期間（Ａ））は、ステップＳ１４により、蓄電池２０１が放電する電力により負荷装置４００を稼働させる。
【００４７】
次に、蓄電池２０１の容量が施設外使用電力量に達してから、車両２００が使用されるまで（期間（Ｂ））は、ステップＳ１３により、蓄電池２０１の充放電を停止し、外部供給電力により負荷装置４００を稼働させる。なお、本実施形態では、図６（Ｂ）に示すとおり、蓄電池２０１の放電停止時に、自然エネルギー発電装置３００の発電電力を負荷装置４００の稼働に充てるが、これに限られず、例えば蓄電池２０１の放電停止時にも、自然エネルギー発電装置３００の発電電力による蓄電池２０１の充電は継続されても良い。次に、車両２００の使用時間中（期間（Ｃ））は、蓄電池２０１の電力は専ら車両２００の走行に用いられる。
【００４８】
次に、車両２００の使用が終了してから、蓄電池２０１の容量が許容下限値に達するまで（期間（Ｄ））は、ステップＳ１４により、蓄電池２０１が放電する電力により負荷装置４００を稼働させる。そして、蓄電池２０１の容量が許容下限値に達した以降（期間（Ｅ））は、ステップＳ１３により、蓄電池２０１の放電を停止し、外部供給電力により負荷装置４００を稼働させる。
【００４９】
上述した動作により電力管理装置１００が蓄電池２０１の充放電を制御することで、図６に示すとおり、車両２００の使用時に、蓄電池２０１に車両２００の走行に要する電力を残しておくことができる。また、蓄電池２０１の容量が許容上限値を超えることを防ぎ、かつ許容下限値未満となることを防ぐことができる。
【００５０】
《第２の実施形態》
第１の実施形態では、車両２００の使用目的が買い物などの高頻度不定期利用であるときに、施設外使用予定受付部１０１が、その使用時刻のみの入力を受け付ける場合について説明した。しかしながら、買い物に行く時刻は決まっていないことが多く、また買い物に行く頻度が高い場合、わざわざ毎回使用予定を入力することが面倒であることが考えられる。そこで、第２の実施形態による電力管理装置１００は、施設外使用予定受付部１０１は、高頻度不定期利用についての使用予定の入力を省略する。
【００５１】
これは、必要充電量算出部１０９が、上述したステップＳ９において、必要充電量算出部１０９が、以下の３つの条件を満たす電力量を、必要充電量とすることで実現される。３つの条件とは、（１）蓄電池２０１の容量の許容上限値から最大ピーク容量を減じた電力量以下であること、（２）差分電力量と施設外使用電力量と高頻度不定期利用の際に要する電力量（不定期利用電力量）とを加算した電力量から最大ピーク容量を減じた電力量以上であること、及び（３）許容下限値と高頻度不定期利用の際に要する電力量とを加算した値から最小ピーク容量を減じた電力量以上であること、である。これにより、高頻度不定期利用による車両２００の使用予定の入力を予め受け付けなくても、常に高頻度不定期利用の際に要する電力量を蓄電池２０１に残しておくことができる。
【００５２】
《第３の実施形態》
図７は、本発明の第３の実施形態による電力管理装置１００を備える施設の構成を示す図である。
第３の実施形態による施設には、第１の実施形態による施設が備える構成に加え、さらにヒートポンプ給湯器６００が設けられる。
第１の実施形態、第２の実施形態では、車両２００が走行している間、自然エネルギー発電装置３００の発電電力により、負荷装置４００を稼働させる。このとき、自然エネルギー発電装置３００の発電電力が負荷装置４００の消費電力を上回る場合、余剰電力は電力系統に逆潮流されることにより、売電される。しかしながら、逆潮流により電力系統の電力が、電力系統の許容電力を超える場合、逆潮流する電力量に制限が掛かるため、車両２００が走行している間の自然エネルギー発電装置３００の発電電力は、無駄になってしまう。
【００５３】
そこで、第３の実施形態による電力管理装置１００は、車両２００が走行している間、自然エネルギー発電装置３００が発電する発電電力を用いてヒートポンプ給湯器６００を稼働させるヒートポンプ制御部（図示せず）を備える。これにより、車両２００の走行中で蓄電池２０１が使用できないときの自然エネルギー発電装置３００の発電電力の無駄を削減することができる。
【００５４】
以上、図面を参照してこの発明のいくつかの実施形態について詳しく説明してきたが、具体的な構成は上述のものに限られることはなく、この発明の要旨を逸脱しない範囲内において様々な設計変更等をすることが可能である。
例えば、上述した実施形態では、蓄電池２０１が車両２００に搭載され、車両２００の走行のための電力供給に用いられる場合について説明したが、これに限られず、施設外において他の用途に用いられるものであっても良い。
【００５５】
例えば、本実施形態では、蓄電池２０１の最大ピーク容量が蓄電池２０１の容量の許容上限値と等しくなるように、安価期間に蓄電池２０１の充電を行うよう制御する場合について説明したが、これに限られない。例えば、蓄電池２０１の最大ピーク容量と蓄電池２０１の容量の許容上限値との差分ΔＳＯＣ１と、蓄電池２０１の最小ピーク容量と蓄電池２０１の容量の許容下限値との差分ΔＳＯＣ２とが等しくなるように、安価期間に蓄電池２０１の充電を行うよう制御しても良い。また、蓄電池２０１の充電量オーバによる自然エネルギー発電電力を破棄することの損失と、蓄電池２０１の充電量不足による電力購入による損失とを評価関数で表し、その損失が最小となるように、安価期間に蓄電池２０１の充電を行うよう制御しても良い。
【００５６】
上述の電力管理装置１００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５８】
１００…電力管理装置  １０１…施設外使用予定受付部  １０２…施設外使用予測部  １０３…発電電力予測部  １０４…消費電力予測部  １０５…余剰・不足電力予測部  １０６…変化量予測部  １０７…ピーク特定部  １０８…差分電力量算出部  １０９…必要充電量算出部  １１０…充放電制御部  １１１…容量監視部  ２００…車両  ２０１…蓄電池  ３００…自然エネルギー発電装置  ４００…負荷装置  ５００…ネットワーク  ６００…ヒートポンプ給湯器
【図１】
0006053303.tif 000002
【図２】
0006053303.tif 000003
【図３】
0006053303.tif 000004
【図４】
0006053303.tif 000005
【図５】
0006053303.tif 000006
【図６】
0006053303.tif 000007
【図７】
0006053303.tif 000008